(57)【要約】【課題】テレビの前や周辺に設置することが可能で、幼児のテレビに対する好奇心を満足させることができるテレビ型玩具を提供する。【解決手段】フラットパネル型テレビの形態を模した形状で、前面に複数のマークＡ〜Ｅが描かれた画面プレート４が設けられた本体部２と、本体部２を設置面に固定する固定部３と、を備えており、本体部２には、各マークＡ〜Ｅへの接触を検出する検出部７ａ〜７ｅと、各マークＡ〜Ｅを発光させる発光部８ａ〜８ｅと、音声を出力する音声出力部９と、検出部７、発光部８及び音声出力部９の駆動制御を行う処理部１０と、が設けられている。そして、処理部１０は、検出部７ａ〜７ｅの何れかでマークＡ〜Ｅへの接触を検出すると、この接触を検出した検出部７ａ〜７ｅに対応した音声を音声出力部９から出力する。【選択図】図４
2013220306.tif 000002
【特許請求の範囲】
【請求項１】
フラットパネル型テレビの形態を模した形状で、前面に１又は複数のマークが付された画面部を備える本体部と、
前記本体部を設置面に固定する固定部と、
前記マークへの接触を検出する検出部と、
前記検出部が接触を検出すると応答する応答処理部と、
を有することを特徴とするテレビ型玩具。
【請求項２】
前記マークを発光させる発光部を更に有することを特徴とする請求項１に記載のテレビ型玩具。
【請求項３】
前記応答処理部は、前記検出部が前記発光部により発光された前記マークへの接触を検出した場合に応答することを特徴とする請求項２に記載のテレビ型玩具。
【発明の詳細な説明】
【技術分野】
【０００１】
本発明は、フラットパネル型テレビの形態を模したテレビ型玩具に関する。
【背景技術】
【０００２】
幼児は、一人で歩けるようになると、周囲にある様々なものに興味を持ち始めていく。特に、テレビは、画面に画像が映し出されて音声も出力されるため、幼児は大きな興味を示す。このため、幼児は、テレビの電源が入ると、テレビに近づいて行き、至近距離で長時間テレビを視聴したり、好奇心からテレビ画面を触ったり叩いたりして遊んでいる。このような幼児のテレビに対する興味は、親にとって心配な面もあることから、各方面で様々な検討がなされている。
【先行技術文献】
【特許文献】
【０００３】
【特許文献１】実用新案登録第３１５５０７８号公報
【発明の概要】
【発明が解決しようとする課題】
【０００４】
ところで、近年、ブラウン管型テレビから、液晶ディスプレイ（ＬＣＤ）やプラズマディスプレイ（ＰＤＰ）などを採用したフラットパネル型テレビに移行してきており、アナログ放送からデジタル放送への切り替えにより、殆どの家庭にはフラットパネル型テレビが設置されるようになった。
【０００５】
しかしながら、フラットパネル型テレビは、硬くて破損しにくいガラス画面を採用するブラウン管とは異なり、柔らかくて破損しやすい液晶ディスプレイやプラズマディスプレイなどを採用している。また、フラットパネル型テレビは、ブラウン型ディスプレイに比べて極めて薄く形成されている。このため、幼児がフラットパネル型テレビの表示画面に触ったり叩いたりすると、フラットパネル型テレビのパネル（表示部）が破損したり、フラットパネル型テレビ自体が転倒したりする危険性がある。
【０００６】
このような危険性に鑑み、フラットパネル型テレビの表示画面を保護する保護パネルが考えられている（例えば、特許文献１参照）。
【０００７】
しかしながら、このような保護パネルは、幼児がフラットパネル型テレビの表示画面を触ったり叩いたりすることを防止するものではないため、上記問題を根本的に解決するものではなく、依然、幼児が触ったり叩いたりすることによりフラットパネル型テレビが転倒するといった問題や、幼児が至近距離で長時間視聴するといった問題は、解決できていない。
【０００８】
そこで、本発明は、テレビの前や周辺に設置することが可能で、幼児のテレビに対する好奇心を満足させることができるテレビ型玩具を提供することを目的とする。
【課題を解決するための手段】
【０００９】
本発明に係るテレビ型玩具は、フラットパネル型テレビの形態を模した形状で、前面に１又は複数のマークが付された画面部を備える本体部と、本体部を設置面に固定する固定部と、マークへの接触を検出する検出部と、検出部が接触を検出すると応答する応答処理部と、を有することを特徴とする。
【００１０】
本発明に係るテレビ型玩具によれば、本体部がフラットパネル型テレビの形態を模した形状となっており、固定部により本体部を本物のフラットパネル型テレビの前や周辺に設置することができるため、幼児に本物のテレビであるかのように錯覚させることができる。更に、検出部によって本体部の画面部に付されたマークへの接触が検出されると、応答処理部が応答するため、幼児に対して能動的に当該マークに触る行動を起こさせることができるとともに、当該マークを触ることで、あたかもテレビと双方向のコミュニケーションをとっているかのような感覚を与えることができる。これにより、幼児にテレビ型玩具に対する興味を持たせることができるため、幼児のテレビに対する好奇心を満足させることができるとともに、幼児が至近距離でテレビを長時間視聴するのを抑制することができる。なお、幼児の興味を引くキャラクターなどでマークを表すことで、幼児のテレビ型玩具に対する興味を更に増加させることができる。
【００１１】
また、マークを発光させる発光部を更に有することが好ましい。このように、マークを発光させることで、テレビ型玩具を、画像が映し出される本物のテレビに似せることができるため、幼児のテレビ型玩具に対する興味を更に増加させることができる。
【００１２】
この場合、応答処理部は、検出部が発光部により発光されたマークへの接触を検出した場合に応答することが好ましい。このように、発光したマークに接触した場合に応答することで、幼児に対して自然と発光するマークを狙うように意識させることができるため、幼児にテレビ型玩具で遊ばせることで知恵を育てることもできる。
【００１３】
また、音声を出力する音声出力部を更に有し、応答処理部は、検出部が一定時間マークへの接触を検出しないと、発光部によりマークを発光させるとともに、音声出力部から音声を出力させるものとすることができる。これにより、テレビ型玩具が幼児を呼びかけるように動作するため、テレビ型玩具との遊びを長時間継続させることができるとともに、知育効果を促進させることができる。
【００１４】
一方、検出部が一定時間マークへの接触を検出しないと、テレビ型玩具の電源を切るものとすることができる。これにより、節電を行うことができる。
【発明の効果】
【００１５】
本発明によれば、テレビの前や周辺に設置することが可能で、幼児のテレビに対する好奇心を満足させることができる。
【図面の簡単な説明】
【００１６】
【図１】実施形態に係るテレビ型玩具の正面図である。
【図２】実施形態に係るテレビ型玩具の側面図である。
【図３】テレビ型玩具の設置状態を示した図である。
【図４】画面プレートを取り外したテレビ型玩具の正面図である。
【図５】第一モードの音声出力処理を示すフローチャートである。
【図６】第二モードの音声出力処理を示すフローチャートである。
【発明を実施するための形態】
【００１７】
以下、図面を参照して、本発明に係るテレビ型玩具の好適な実施形態について詳細に説明する。なお、全図中、同一又は相当部分には同一符号を付すこととする。
【００１８】
図１は、実施形態に係るテレビ型玩具の正面図であり、図２は、実施形態に係るテレビ型玩具の側面図である。
【００１９】
図１及び図２に示すように、本実施形態に係るテレビ型玩具１は、本体部２と、固定部３と、を備えている。
【００２０】
本体部２は、フラットパネル型テレビの形態を模した形状に形成されており、具体的には、フラットパネル型テレビを小型化した形状に形成されている。本体部２の前面には、フラットパネル型テレビの表示画面に相当するものとして、複数のマークＡ〜Ｅが描かれた画面プレート４が設けられている。
【００２１】
画面プレート４は、樹脂やガラスなどによって薄板状又はシート状に形成されており、光透過性を有している。画面プレート４には、複数のマークＡ〜Ｅが描かれている。マークＡ〜Ｅは、特に限定されるものではないが、幼児にテレビの表示画面であると錯覚させるような絵であることが好ましく、幼児の興味を引くために、例えば、動物などのキャラクターを採用することが好ましい。図１では、一例として、マークＡを鳥のキャラクター、マークＢを豚のキャラクター、マークＣを犬のキャラクター、マークＤを猿のキャラクター、マークＥを兎のキャラクターとして表している。
【００２２】
固定部３は、本物のフラットパネル型テレビが設置される設置面に本体部２を固定するものである。固定部３は、吸着盤５と、吸着盤５を設置面に対して脱着可能に真空吸着させる脱着機構６と、を備えている。脱着機構６は、周知の真空吸着機構に用いられるものであり、吸着盤５を真空執着させるためのレバー６ａが設けられている。すなわち、設置面に吸着盤５を押し当てた状態でレバー６ａを下すと、吸着盤５が設置面に真空吸着され、この状態でレバー６ａを上げると、吸着盤５の真空吸着が解除されて設置面から吸着盤５を取り外すことが可能な機構となっている。なお、図面では、レバー６ａを下して吸着盤５を設置面に真空吸着させた状態を示している。
【００２３】
ここで、図３を参照して、フラットパネル型テレビＴＶが設置（載置）される設置面Ｇ（載置面）にテレビ型玩具１を設置する方法について説明する。図３は、テレビ型玩具の設置状態を示した図である。まず、フラットパネル型テレビＴＶの前方においてフラットパネル型テレビＴＶが設置される設置面Ｇにテレビ型玩具１を配置して、脱着機構６のレバー６ａを上げる。そして、吸着盤５を設置面Ｇに押し当てた状態で、脱着機構６のレバー６ａを下げる。すると、吸着盤５が設置面Ｇに真空吸着されて、テレビ型玩具１が設置面Ｇに固定される。これにより、テレビ型玩具１は、図３に示すように、フラットパネル型テレビＴＶの前方において設置面Ｇに設置される。なお、テレビ型玩具１は、必ずしも、フラットパネル型テレビＴＶの前方やフラットパネル型テレビＴＶが設置される設置面Ｇに設置される必要はなく、任意の位置に設置することができる。
【００２４】
図４は、画面プレートを取り外したテレビ型玩具の正面図である。図４に示すように、本体部２には、更に、検出部７と、発光部８と、音声出力部９と、処理部１０と、が設けられている。
【００２５】
検出部７は、画面プレート４に描かれた各マークＡ〜Ｅに対応して設けられており、各マークＡ〜Ｅへの接触を検出するものである。具体的に説明すると、検出部７は、マークＡに対応して配置された検出部７ａと、マークＢに対応して配置された検出部７ｂと、マークＣに対応して配置された検出部７ｃと、マークＤに対応して配置された検出部７ｄと、マークＥに対応して配置された検出部７ｅと、を備えている。各検出部７ａ〜７ｅは、接触を検出することができれば如何なる部材を採用してもよく、例えば、機械的にオンとオフとが切り替えられるスイッチや電気的に接触を検出するタッチセンサなどを採用することができる。
【００２６】
発光部８は、画面プレート４に描かれた各マークＡ〜Ｅ及び各検出部７ａ〜７ｅに対応して設けられており、各マークＡ〜Ｅを発光させるものである。具体的に説明すると、発光部８は、マークＡに対応して検出部７ａの中央部に配置された発光部８ａと、マークＢに対応して検出部７ｂの中央部に配置された発光部８ｂと、マークＣに対応して検出部７ｃの中央部に配置された発光部８ｃと、マークＤに対応して検出部７ｄの中央部に配置された発光部８ｄと、マークＥに対応して検出部７ｅの中央部に配置された発光部８ｅと、を備えている。各発光部８ａ〜８ｅは、各マークＡ〜Ｅを発光することができれば如何なる部材を採用してもよく、例えば、ＬＥＤや電球などを採用することができる。また、各発光部８ａ〜８ｅは、必ずしも各検出部７ａ〜７ｅの中央部に配置される必要はなく、各検出部７ａ〜７ｅとは別の位置に配置してもよい。
【００２７】
音声出力部９は、スピーカーなどのように音声を出力ものであり、本物のフラットパネル型テレビと同様に、本体部２における画面プレート４の下部や両サイドなどに配置されている。
【００２８】
処理部１０は、ＩＣなどにより構成されており、検出部７、発光部８及び音声出力部９の駆動制御を行うものである。
【００２９】
処理部１０は、発光部８の発光制御を行う。発光部８の発光制御は、発光部８ａ〜８ｅを所定時間ずつ順次点灯させていくことにより行う。この場合、発光部８ａ〜８ｅの点灯順序や点灯継続時間は任意に設定することができる。また、発光部８ａ〜８ｅの何れか一つのみを点灯させてもよく、発光部８ａ〜８ｅの何れか二つ以上を同時に点灯させてもよく、発光部８ａ〜８ｅの何れかを点灯させている最中に他の発光部８ａ〜８ｅを点灯させてもよい。
【００３０】
処理部１０は、音声出力部９の音声出力制御を行う。音声出力部９の音声出力制御は、次に説明する第一モード及び第二モードがあり、何れも、検出部７がマークＡ〜Ｅへの接触を検出した場合に、音声出力部９から音声を出力させることにより行う。出力する音声は、検出部７ａ〜７ｅ（マークＡ〜Ｅ）に対応したものであり、予め、テレビ型玩具１に設けられる記憶装置に記録しておく。この場合、検出部７ａ〜７ｅ（マークＡ〜Ｅ）に対応した音声を１種類ずつ又は複数種類ずつ記録しておくことができる。
【００３１】
第一モードの音声出力処理は、発光部８ａ〜８ｅの発光制御に拘わらず、検出部７ａ〜７ｅの何れかがマークＡ〜Ｅへの接触を検出すると、この接触を検出した検出部７ａ〜７ｅに対応した音声を記憶装置から読み出し、この読み出した音声を音声出力部９から出力する。なお、検出部７ａ〜７ｅに対応した音声を複数種類ずつ記憶装置に記録している場合は、検出部７ａ〜７ｅごとに、順次またはランダムに記憶した音声を音声出力部９から出力する。
【００３２】
第二モードの音声出力処理は、検出部７ａ〜７ｅの何れかが、発光制御により点灯させている発光部８ａ〜８ｅに対応したマークＡ〜Ｅへの接触を検出した場合にのみ、この接触を検出した検出部７ａ〜７ｅに対応した音声を記憶装置から読み出し、この読み出した音声を音声出力部９から出力する。つまり、検出部７ａ〜７ｅの何れかが、消灯させている発光部８ａ〜８ｅに対応したマークＡ〜Ｅへの接触を検出したとしても、音声出力部９からは、この接触を検出した検出部７ａ〜７ｅに対応して記録した音声を出力しない。なお、第一モードの音声出力処理と同様に、検出部７ａ〜７ｅに対応した音声を複数種類ずつ記憶装置に記録している場合は、検出部７ａ〜７ｅごとに、順次またはランダムに記憶した音声を音声出力部９から出力する。
【００３３】
次に、テレビ型玩具１の動作について説明する。図５は、第一モードの音声出力処理を示すフローチャートである。図６は、第二モードの音声出力処理を示すフローチャートである。
【００３４】
まず、図５を参照して、第一モードの音声出力処理について説明する。
【００３５】
図５に示すように、処理部１０は、テレビ型玩具１の電源が投入されると、検出部７ａ〜７ｅの何れかによりマークＡ〜Ｅへの接触が検出されるのを待つ（ステップＳ１１）。このとき、処理部１０は、発光部８ａ〜８ｅやテレビ型玩具１に設けられる他の発光部を点灯させてもよい。
【００３６】
そして、検出部７ａ〜７ｅの何れかによりマークＡ〜Ｅへの接触が検出されると（ステップＳ１１：ＹＥＳ）、処理部１０は、接触を検出した検出部７ａ〜７ｅに対応して記録した音声を、音声出力部９から出力する（ステップＳ１２）。検出部７ａ〜７ｅに対応して記録した音声を複数種類ずつ記録している場合は、第１モードの処理を繰り返すたびに、順次またはランダムに記録した各音声を音声出力部９から出力する。このとき、処理部１０は、音声出力部９から音声を出力する際に、ステップＳ１１において接触を検出した検出部７ａ〜７ｅに対応する発光部８ａ〜８ｅやテレビ型玩具１に設けられる他の発光部などを点灯させることもできる。
【００３７】
そして、処理部１０は、電源が遮断されるまで、ステップＳ１１に戻って再度上述した処理を繰り返す（ステップＳ１３）。
【００３８】
次に、図６を参照して、第二モードの音声出力処理について説明する。
【００３９】
図６に示すように、処理部１０は、テレビ型玩具１の電源が投入されると、発光部８ａ〜８ｅの発光制御を行う（ステップＳ２１）。ステップＳ２１では、発光部８ａ〜８ｅを所定時間ずつ順次点灯させて、マークＡ〜Ｅを所定時間ずつ順次発光させていく。なお、上述したように、ステップＳ２１では、発光部８ａ〜８ｅの点灯順序や点灯継続時間を任意に設定することができる。また、発光部８ａ〜８ｅの何れか一つのみを点灯させてもよく、発光部８ａ〜８ｅの何れか二つ以上を同時に点灯させてもよく、発光部８ａ〜８ｅの何れかを点灯させている最中に他の発光部８ａ〜８ｅを点灯させてもよい。
【００４０】
そして、処理部１０は、検出部７ａ〜７ｅの何れかにより、ステップＳ２１の発光制御により発光されてマークＡ〜Ｅへの接触が検出されるのを待つ（ステップＳ２２）。
【００４１】
そして、処理部１０は、検出部７ａ〜７ｅの何れかにより、テップＳ２１の発光制御により発光されているマークＡ〜Ｅへの接触が検出されると（ステップＳ２２：ＹＥＳ）、接触を検出した検出部７ａ〜７ｅに対応して記録した音声を、音声出力部９から出力する（ステップＳ２３）。なお、ステップＳ２３の音声出力処理は、ステップＳ１２の音声出力処理と同様である。
【００４２】
そして、処理部１０は、電源が遮断されるまで、ステップＳ２１に戻って再度上述した処理を繰り返す（ステップＳ２４）。
【００４３】
以上説明したように、本実施形態に係るテレビ型玩具１によれば、本体部２がフラットパネル型テレビの形態を模した形状となっており、固定部３により本体部２を本物のフラットパネル型テレビの前や周辺に設置することができるため、幼児に本物のテレビであるかのように錯覚させることができる。更に、検出部７ａ〜７ｅによって本体部２の画面プレート４に付されたマークＡ〜Ｅへの接触が検出されると、処理部１０が音声出力部９から音声を出力させるため、幼児に対して能動的に当該マークＡ〜Ｅに触る行動を起こさせることができるとともに、当該マークＡ〜Ｅを触ることで、あたかもテレビと双方向のコミュニケーションをとっているかのような感覚を与えることができる。これにより、幼児にテレビ型玩具１に対する興味を持たせることができるため、幼児のテレビに対する好奇心を満足させることができるとともに、幼児が至近距離でテレビを長時間視聴するのを抑制することができる。しかも、マークＡ〜Ｅを、幼児の興味を引くキャラクターなどで表すことで、幼児のテレビ型玩具１に対する興味を更に増加させることができる。
【００４４】
また、発光部８ａ〜８ｅを点灯させてマークＡ〜Ｅを発光させることで、テレビ型玩具１を、画像が映し出される本物のテレビに似せることができるため、幼児のテレビ型玩具１に対する興味を更に増加させることができる。
【００４５】
しかも、第２モードの音声出力処理によれば、発光したマークＡ〜Ｅに接触した場合にのみ音声出力部９から音声を出力させることで、幼児に対して自然と発光するマークＡ〜Ｅを狙うように意識させることができるため、幼児にテレビ型玩具１で遊ばせることで知恵を育てることもできる。
【００４６】
以上、本発明の好適な実施形態について説明したが、本発明は上記実施形態に限定されるものではない。例えば、上記実施形態では、応答処理部による応答の一態様として、音声出力部から音声を出力するものとして説明したが、発光部を点滅させたり、発光部の点灯色を変えたり、テレビ型玩具の一部の形態を変えたりするなど、様々な手段を採用することができる。
【００４７】
また、処理部は、検出部が一定時間（例えば３０秒）マークへの接触を検出しないと、発光部によりマークやマーク以外の部分を発光させるとともに、音声出力部から音声を出力させる呼びかけ機能を備えるものとしてもよい。これにより、テレビ型玩具が幼児を呼びかけるように動作するため、テレビ型玩具との遊びを長時間継続させることができるとともに、知育効果を促進させることができる。
【００４８】
また、検出部が一定時間（例えば３０秒）マークへの接触を検出しないと、テレビ型玩具の電源を切るオートオフ機能を備えるものとすることができる。これにより、節電を行うことができる。なお、上述した呼びかけ機能を備える場合は、呼びかけ機能を所定回数実行した後に、テレビ型玩具の電源を切るものとすることもできる。
【符号の説明】
【００４９】
１…テレビ型玩具、２…本体部、３…固定部、４…画面プレート（画面部）、５…吸着盤、６…脱着機構、７（７ａ〜７ｅ）…検出部、８（８ａ〜８ｅ）…発光部、９…音声出力部（応答処理部）、１０…処理部（応答処理部）、Ａ〜Ｅ…マーク、Ｇ…設置面、ＴＶ…フラットパネル型テレビ。
【図１】
2013220306.tif 000003
【図２】
2013220306.tif 000004
【図３】
2013220306.tif 000005
【図４】
2013220306.tif 000006
【図５】
2013220306.tif 000007
【図６】
2013220306.tif 000008